(57)【要約】【課題】対象負荷に対し安価な時間帯に通電することを可能とする。【解決手段】通電制御装置２の計時手段１２が、基準信号発生手段１１によって発生した基準信号をカウントして時刻情報を生成し、通信手段２１が、通電制御装置２の外部の外部装置から時刻合わせ込み信号を受信し、受信した時刻合わせ込み信号に基づいて、計時手段１２により生成された時刻情報を標準時刻に合うように補正する。そして、制御手段１８が、時間帯別料金記憶手段１４内に記憶された時間帯別の電気料金情報と、補正後の時刻情報とに基づいて、電気料金の安価な時間帯に限って、開閉手段１７が通電制御電源取り込み手段１５と通電制御電源送り出し手段１６との間をオンし、通電制御電源送り出し手段１６から負荷側へ通電制御電源が送り出されるように制御する。【選択図】図４
2006292338.tif 000002
【特許請求の範囲】
【請求項１】
負荷装置への通電を制御する通電制御装置であって、
基準信号を発生する基準信号発生手段と、
発生した基準信号をカウントして時刻情報を生成する計時手段と、
標準時刻電波を受信して標準時刻情報を取得し、前記計時手段により生成された時刻情報を前記標準時刻に合うように補正する標準時刻電波受信・時刻補正手段と、
通電制御電源を取り込む通電制御電源取り込み手段と、
通電制御電源を前記負荷装置へ送り出す通電制御電源送り出し手段と、
前記通電制御電源取り込み手段と前記通電制御電源送り出し手段との間を接続又は開放する開閉手段と、
時間帯別の電気料金情報が記憶される時間帯別料金記憶手段と、
前記標準時刻電波受信・時刻補正手段により補正された時刻情報と、前記時間帯別料金記憶手段に記憶された時間帯別の電気料金情報とに基づいて、電気料金が安価となる時間帯に、前記開閉手段が前記通電制御電源取り込み手段と前記通電制御電源送り出し手段との間を接続し、前記通電制御電源送り出し手段から前記負荷装置へ通電制御電源が送り出されるように制御する制御手段とを備える
ことを特徴とする通電制御装置。
【請求項２】
負荷装置への通電を制御する通電制御装置であって、
基準信号を発生する基準信号発生手段と、
発生した基準信号をカウントして時刻情報を生成する計時手段と、
前記通電制御装置の外部から、前記計時手段によって生成された時刻情報を標準時刻に合わせ込むための制御信号である時刻合わせ込み信号を受信し、受信した時刻合わせ込み信号に基づいて、前記計時手段によって生成された時刻情報を補正する通信手段と、
通電制御電源を取り込む通電制御電源取り込み手段と、
通電制御電源を前記負荷装置へ送り出す通電制御電源送り出し手段と、
前記通電制御電源取り込み手段と前記通電制御電源送り出し手段との間を接続又は開放する開閉手段と、
時間帯別の電気料金情報が記憶される時間帯別料金記憶手段と、
前記通信手段により補正された時刻情報と、前記時間帯別料金記憶手段に記憶された時間帯別の電気料金情報とに基づいて、電気料金が安価となる時間帯に、前記開閉手段が前記通電制御電源取り込み手段と前記通電制御電源送り出し手段との間を接続し、前記通電制御電源送り出し手段から前記負荷装置へ通電制御電源が送り出されるように制御する制御手段とを備える
ことを特徴とする通電制御装置。
【請求項３】
外部装置の時刻を標準時刻に合わせ込む標準時刻合わせ込み装置であって、
標準時刻電波を受信して標準時刻情報を取得する標準時刻電波受信・時刻取得手段と、
前記外部装置の時刻を標準時刻に合わせ込むための制御信号である時刻合わせ込み信号を前記外部装置に対して送出するタイミングを記憶する送出タイミング記憶手段と、
前記標準時刻合わせ込み装置と前記外部装置との間での信号の送受信の際に用いる信号構成情報を記憶する信号構成記憶手段と、
前記外部装置を特定する情報を記憶する外部装置特定情報記憶手段と、
前記標準時刻電波受信・時刻取得手段によって取得された標準時刻情報と前記信号構成記憶手段中の信号構成情報と前記外部装置特定情報記憶手段中の前記外部装置を特定する情報とに基づいて、前記時刻合わせ込み信号を編集する編集手段と、
前記送出タイミング記憶手段中のタイミングに従って、前記編集された時刻合わせ込み信号を前記外部装置に対して送出する時刻合わせ込み信号送出手段とを備える
ことを特徴とする標準時刻合わせ込み装置。
【請求項４】
貯湯式電気温水器と、請求項３に記載の標準時刻合わせ込み装置とから構成される貯湯式電気温水器システムであって、
前記標準時刻合わせ込み装置は、前記貯湯式電気温水器に対して前記時刻合わせ込み信号を送出し、
前記貯湯式電気温水器は、
貯湯タンクと、
時刻情報を生成する計時手段と、
前記標準時刻合わせ込み装置から前記時刻合わせ込み信号を受信する通信手段と、
前記生成された時刻情報を前記時刻合わせ込み信号に基づいて補正する時刻補正手段と、
前記補正後の時刻情報と予め記憶された時間帯別の電気料金情報とに基づいて、電気料金の安価な時間帯に前記貯湯タンク内に湯を沸き上げる制御手段とを備える
ことを特徴とする貯湯式電気温水器システム。
【請求項５】
ヒートポンプ式給湯機と、請求項３に記載の標準時刻合わせ込み装置とから構成されるヒートポンプ式給湯機システムであって、
前記標準時刻合わせ込み装置は、前記ヒートポンプ式給湯機に対して前記時刻合わせ込み信号を送出し、
前記ヒートポンプ式給湯機は、
貯湯タンクと、
時刻情報を生成する計時手段と、
前記標準時刻合わせ込み装置から前記時刻合わせ込み信号を受信する通信手段と、
前記生成された時刻情報を前記時刻合わせ込み信号に基づいて補正する時刻補正手段と、
前記補正後の時刻情報と予め記憶された時間帯別の電気料金情報とに基づいて、電気料金の安価な時間帯に前記貯湯タンク内に湯を沸き上げる制御手段とを備える
ことを特徴とするヒートポンプ式給湯機システム。
【請求項６】
貯湯式電気温水器と、請求項１または請求項２に記載の通電制御装置とから構成される貯湯式電気温水器システムであって、
前記通電制御装置は、前記貯湯式電気温水器に対して、電気料金が安価となる時間帯に通電制御電源を送り出し、
前記貯湯式電気温水器は、前記通電制御装置から送り出された通電制御電源を用いて、内部に備える貯湯タンク内の湯の沸き上げ処理を制御する制御手段を備える
ことを特徴とする貯湯式電気温水器システム。
【請求項７】
ヒートポンプ式給湯機と、請求項１または請求項２に記載の通電制御装置とから構成されるヒートポンプ式給湯機システムであって、
前記通電制御装置は、前記ヒートポンプ式給湯機に対して、電気料金が安価となる時間帯に通電制御電源を送り出し、
前記ヒートポンプ式給湯機は、前記通電制御装置から送り出された通電制御電源を用いて、内部に備える貯湯タンク内の湯の沸き上げ処理を制御する制御手段を備える
ことを特徴とするヒートポンプ式給湯機システム。
【請求項８】
時間帯別の電力量を計測する電力量計であって、
電源から負荷装置へ印加される印加電圧を取り出す電圧取り出し手段と、
前記電源から前記電力量計を通過して前記負荷装置へ流れる電流の有効分である有効電流を取り出す有効電流取り出し手段と、  
時刻情報を生成する計時手段と、
前記印加電圧と前記有効電流と予め決められた計量時間間隔とに基づいて、前記計量時間間隔内の電力量を算出する電力量算出手段と、
時間帯別の電力量を計測する複数の時間帯別電力量計測手段と、
時間帯と各時間帯別電力量計測手段との対応情報が記憶される時間帯情報記憶手段と、
前記計時手段によって生成された時刻情報と前記時間帯情報記憶手段に記憶された時間帯と各時間帯別電力量計測手段との対応情報とに基づいて、前記電力量算出手段によって算出された電力量情報を各時間帯別電力量計測手段に振り分ける制御手段とを備え、
各時間帯別電力量計測手段は、振り分けられた電力量情報を積算して時間帯別の電力量を計測し、
前記制御手段は、さらに、前記計時手段によって生成された時刻情報を前記負荷装置に対して送信する
ことを特徴とする電力量計。
【請求項９】
貯湯式電気温水器であって、
請求項８に記載の電力量計の前記計測手段によって生成された時刻情報を前記電力量計から受信する時刻情報受信手段と、
時刻情報を生成する計時手段と、
前記計時手段によって生成された時刻情報を前記電力量計から受信した時刻情報に合うように補正する時刻補正手段と、
前記補正後の時刻情報と予め記憶された時間帯別の電気料金情報とに基づいて、電気料金の安価な時間帯に、内部に備える貯湯タンク内に湯を沸き上げる制御手段とを備える
ことを特徴とする貯湯式電気温水器。
【請求項１０】
ヒートポンプ式給湯機であって、
請求項８に記載の電力量計の前記計測手段によって生成された時刻情報を前記電力量計から受信する時刻情報受信手段と、
時刻情報を生成する計時手段と、
前記計時手段によって生成された時刻情報を前記電力量計から受信した時刻情報に合うように補正する時刻補正手段と、
前記補正後の時刻情報と予め記憶された時間帯別の電気料金情報とに基づいて、電気料金の安価な時間帯に、内部に備える貯湯タンク内に湯を沸き上げる制御手段とを備える
ことを特徴とするヒートポンプ式給湯機。
【請求項１１】
貯湯式電気温水器であって、
時間帯別の電力量を計測する電力量計に対して外部から周期的または間欠的に送信される時刻情報であって、前記電力量計が時間帯別の電力量を計測するために用いる時刻情報と同一の時刻情報を、前記電力量計に対して外部から前記時刻情報が送信されたタイミングと同一のタイミングで受信する時刻情報受信手段と、
時刻情報を生成する計時手段と、
前記計時手段によって生成された時刻情報を前記時刻情報受信手段によって受信された時刻情報に合うように補正する時刻補正手段と、
前記補正後の時刻情報と予め記憶された時間帯別の電気料金情報とに基づいて、電気料金の安価な時間帯に、内部に備える貯湯タンク内に湯を沸き上げる制御手段とを備える
ことを特徴とする貯湯式電気温水器。
【請求項１２】
ヒートポンプ式給湯機であって、
時間帯別の電力量を計測する電力量計に対して外部から周期的または間欠的に送信される時刻情報であって、前記電力量計が時間帯別の電力量を計測するために用いる時刻情報と同一の時刻情報を、前記電力量計に対して外部から前記時刻情報が送信されたタイミングと同一のタイミングで受信する時刻情報受信手段と、
時刻情報を生成する計時手段と、
前記計時手段によって生成された時刻情報を前記時刻情報受信手段によって受信された時刻情報に合うように補正する時刻補正手段と、
前記補正後の時刻情報と予め記憶された時間帯別の電気料金情報とに基づいて、電気料金の安価な時間帯に、内部に備える貯湯タンク内に湯を沸き上げる制御手段とを備える
ことを特徴とするヒートポンプ式給湯機。
【請求項１３】
貯湯式電気温水器であって、
時間帯別の電力量を計測する電力量計に対して外部から周期的または間欠的に送信され、前記電力量計内の時刻を任意の時刻に合わせ込むための時刻合わせ込み情報と同一の時刻合わせ込み情報を、前記電力量計に対して外部から前記時刻合わせ込み情報が送信されたタイミングと同一のタイミングで受信する時刻合わせ込み情報受信手段と、
時刻情報を生成する計時手段と、
前記計時手段によって生成された時刻情報を前記時刻合わせ込み情報受信手段によって受信された時刻合わせ込み情報に基づいて、前記電力量計内の時刻に合うように補正する時刻補正手段と、
前記補正後の時刻情報と予め記憶された時間帯別の電気料金情報とに基づいて、電気料金の安価な時間帯に、内部に備える貯湯タンク内に湯を沸き上げる制御手段とを備える
ことを特徴とする貯湯式電気温水器。
【請求項１４】
ヒートポンプ式給湯機であって、
時間帯別の電力量を計測する電力量計に対して外部から周期的または間欠的に送信され、前記電力量計内の時刻を任意の時刻に合わせ込むための時刻合わせ込み情報と同一の時刻合わせ込み情報を、前記電力量計に対して外部から前記時刻合わせ込み情報が送信されたタイミングと同一のタイミングで受信する時刻合わせ込み情報受信手段と、
時刻情報を生成する計時手段と、
前記計時手段によって生成された時刻情報を前記時刻合わせ込み情報受信手段によって受信された時刻合わせ込み情報に基づいて、前記電力量計内の時刻に合うように補正する時刻補正手段と、
前記補正後の時刻情報と予め記憶された時間帯別の電気料金情報とに基づいて、電気料金の安価な時間帯に、内部に備える貯湯タンク内に湯を沸き上げる制御手段とを備える
ことを特徴とするヒートポンプ式給湯機。
【発明の詳細な説明】
【技術分野】
【０００１】
本発明は、時間帯別電気料金制度に対応して、電気料金の安価な時間帯に貯湯式電気温水器内またはヒートポンプ式給湯機内の貯湯タンクに湯を沸き上げることを可能とする通電制御装置、標準時刻合わせ込み装置、貯湯式電気温水器システム、ヒートポンプ式給湯機システム、電力量計、貯湯式電気温水器およびヒートポンプ式給湯機に関する。
【背景技術】
【０００２】
電気事業者は、近年設備の有効活用を図るため、電力の使用量が少ない時間帯には電気料金を安く設定し、電力の使用量が多い時間帯には電気料金を高く設定する、時間帯別電気料金制度を採用している。
【０００３】
前記時間帯別電気料金制度で契約すると、各時間帯の料金単価はすべての負荷の電気料金に反映される。電気事業者は、前記時間帯別電気料金を算出するため、各需要家毎に図１８の構成を採る、時間帯別電気料金制度に対応して時間帯別の使用電力量を計測する電力量計５０を設置している。
【０００４】
電力量計５０は、電源側から負荷側への有効電流を取り出す有効電流取り出し手段１１０、電源側から印加される電圧を取り出す電圧取り出し手段１１１、時刻情報を生成する計時手段１１２、時間帯別電力量計測手段１１４〜１１６の切り替えを行う切替手段１１３、切替手段１１３による制御に従って、それぞれ異なる時間帯の電力量を計測する時間帯別電力量計測手段１１４〜１１６とから構成される。
【０００５】
図１９は、時刻自動補正機能を持たない従来の貯湯式電気温水器を示す図である。貯湯式電気温水器６０内の沸き上げ制御手段９２は、貯湯タンク９３の沸き上げ制御を行う。沸き上げ制御手段９２内のリモコン通信手段１２０は、人為的に時刻設定がされたリモコン９４と通信する。設定時刻情報抽出手段１２１は、リモコン９４から受信した通信データから設定時刻情報を抽出し、計時手段１２２が生成する時刻情報を設定時刻情報に基づいて補正する。時間帯別料金記憶手段１２３には、時間帯別の電気料金情報（例えば時間帯別の単価データ）が記憶される。
【０００６】
制御手段１２４は、リモコン９４からの設定時刻情報に基づく補正後の時刻情報、時間帯別料金記憶手段１２３内の電気料金情報、貯湯タンク９３内の湯温計測センサ１２５によって計測された湯温情報に基づいて、貯湯タンク９３への電源供給を制御する。貯湯タンク９３内の電熱器１２６は、貯湯タンク９３内に湯を沸き上げる。
【０００７】
図２０は、時刻自動補正機能を持たない従来のヒートポンプ式給湯機を示す図である。ヒートポンプ式給湯機７０は、沸き上げ制御手段９５、貯湯タンク９６を備える。１３６は加熱管５８を通じて貯湯タンク９６内に湯を沸き上げるヒートポンプである。リモコン通信手段１３１はリモコン９４と通信し、設定時刻情報抽出手段１３２は、リモコン９４から送信された通信データから設定時刻情報を抽出し、計時手段１３３によって生成された時刻情報を補正する。
【０００８】
制御手段１３５は、計時手段１３３により生成された時刻情報、時間帯別料金記憶手段１３４内に記憶された時間帯別の電気料金情報、貯湯タンク９６内の湯温計測センサ１３７によって計測された湯温情報に基づいて、ヒートポンプ１３６による沸き上げ処理を制御する。
【０００９】
図１９に示す従来の貯湯式電気温水器６０や図２０に示す従来のヒートポンプ式給湯機７０では、図２１に示す沸き上げ処理を行っている。
【００１０】
すなわち、まず、貯湯タンク内の湯温情報を取得し（ステップＳ２１）、必要熱量を沸き上げ済みかを判断する（ステップＳ２２）。必要熱量の沸き上げが済んでない場合は、時刻情報と時間帯別の電気料金情報を取り込んで（ステップＳ２３）、電気料金が安い時間帯かを判断する（ステップＳ２４）。電気料金が安い時間帯であって、沸き上げが停止中であるとき（ステップＳ２５）は、沸き上げを開始する（ステップＳ２６）。電気料金が安い時間帯でない場合、沸き上げ中であるときは（ステップＳ２７）、沸き上げを停止する（ステップＳ２８）。また、ステップＳ２２において、必要熱量を沸き上げ済みであって、沸き上げ中のとき（ステップＳ２９）は沸き上げを停止する（ステップＳ３０）。
【００１１】
時刻自動補正機能を持たない従来の貯湯式電気温水器６０又は時刻自動補正機能を持たない従来のヒートポンプ式給湯機７０に内蔵する時計機能は、電気事業者が使用料金の計算に使用する時刻とは非同期で動く。
【００１２】
従来の貯湯式電気温水器６０又は従来のヒートポンプ式給湯機７０に内蔵する時計機能については、発振器の誤差による時刻のずれが発生する。このずれが、電気事業者が電気料金を計算する時刻と大きく異なれば、電気料金の安価な時間帯に沸き上げたつもりが電気料金の高価な時間帯に使用したものとみなされることとなる。このため、時刻のずれはリモコン９４から人為的に補正している。
【００１３】
従来の貯湯式電気温水器６０又は従来のヒートポンプ式給湯機７０は、電源オンなどの時刻情報が無い状態から通常の運転を行うと、前記の時刻のずれと同じ現象となり、高価な電気料金を支払うこととなる。このため、リモコン等から時刻設定をしないと通常の運転を開始しないようにしている。
【００１４】
前記不具合を解消するため、図２２〜図２５に示すような、時刻自動補正機能を有する貯湯式電気温水器またはヒートポンプ式給湯機が提案された。
【００１５】
図２２に示す時刻自動補正機能を有する従来の貯湯式電気温水器８０においては、沸き上げ制御手段９７内の標準時刻電波受信手段１９９が標準時刻電波を受信し、標準時刻抽出・内部時計補正手段２０１が、標準時刻電波から標準時刻を抽出して、計時手段１２２が生成する時刻情報または設定時刻情報抽出手段１２１による補正後の時刻情報を、標準時刻に合うように補正する。
【００１６】
また、図２３に示す時刻自動補正機能を有する従来のヒートポンプ式給湯機９０においては、沸き上げ制御手段９８内の標準時刻電波受信手段２０２が標準時刻電波を受信し、標準時刻抽出・内部時計補正手段２０３が、標準時刻電波から標準時刻を抽出して、計時手段１３３が生成する時刻情報または設定時刻情報抽出手段１３２による補正後の時刻情報を、標準時刻に合うように補正する。
【００１７】
図２４に示す従来技術においては、リモコン９９内の標準時刻電波受信手段３０４が標準時刻電波を受信する。そして、標準時刻抽出・内部時計補正手段３０３が、標準時刻電波から標準時刻を抽出するとともに、リモコン９９に対して人為的に設定された時刻を補正する。補正後の設定時刻情報は、リモコン９９から貯湯式電気温水器１００に対して送信される。
【００１８】
貯湯式電気温水器１００においては、沸き上げ制御手段１３０内の設定時刻情報抽出・内部時計補正手段３０１が、リモコン通信手段３００に対してリモコン９９から送信された通信データから設定時刻情報を抽出するとともに、抽出された設定時刻情報に基づいて、計時手段１２２が生成する時刻情報を補正する。
【００１９】
また、図２５に示す従来技術においては、ヒートポンプ式給湯機２００の、沸き上げ制御手段１４０内の設定時刻情報抽出・内部時計補正手段４０１が、リモコン通信手段４００に対してリモコン９９から送信された通信データから設定時刻情報を抽出する。また、設定時刻情報抽出・内部時計補正手段４０１は、計時手段１３３が生成する時刻情報を、抽出した設定時刻情報に基づいて補正する。
【００２０】
より具体的な従来技術としては、例えば、下記特許文献１に記載された技術がある。特許文献１には、貯湯式給湯装置又はリモコンの長波標準時刻電波受信手段で受信し検波した時刻データを用いて、ＲＯＭに予め記憶した季節別時間帯別電灯契約に基づくデータを基準として、ヒートポンプユニットを運転するように構成した、貯湯式給湯装置およびその運転方法が記載されている。
【特許文献１】特開２００４−５３１８４号公報
【発明の開示】
【発明が解決しようとする課題】
【００２１】
（１）電気事業者が電力使用量の平準化を目指して打ち出した時間帯別電気料金制度は、利用量の低下する夜間の時間帯の電気料金を安価に設定している。この制度はすべての負荷を対象とするが、安価な時間帯に絞って電気を使おうとすると、人為的に使用時間帯を選択するか、時計装置を持ち安価な時間帯に通電する機能を備えた装置を利用する必要がある。
【００２２】
時間帯別電気料金制度は、近年制度化されたもので、負荷となる電気製品の多くはこの制度に対応する時計装置を持っていない。本発明は、受信した標準時刻電波から抽出した標準時刻に基づいて、対象負荷に対し安価な時間帯に通電する通電制御装置を提供することを目的とする。    
【００２３】
（２）標準時刻電波を受信する機能を備える通電制御装置は、設置場所の電界強度およびノイズ強度などの影響を受け、標準時刻電波を安定して受信できない場合が発生する。そこで、本発明は、設置場所の制約を受けず、かつ内部の時刻情報を標準時刻に合うように補正し、補正後の時刻情報に基づいて対象負荷に対して安価な時間帯に通電する通電制御装置の提供を目的とする。
【００２４】
また、本発明は、上記通電制御装置に対して、当該通電制御装置内の時刻情報を標準時刻に合わせ込むための時刻合わせ込み信号を送信する、標準時刻合わせ込み装置の提供を目的とする。
【００２５】
（３）貯湯式電気温水器およびヒートポンプ式給湯機の中には、標準時刻電波を受信する手段を持たない装置も多く設置されている。また、標準時刻電波を受信する手段を持つ貯湯式電気温水器およびヒートポンプ式給湯機であっても、設置場所の制約から信号強度が微弱又は信号対雑音比が低く、標準時刻電波を正確に安定して受信できない場合がある。
【００２６】
この問題について、さらに詳細に説明する。図１９に示す構成を採る時刻自動補正機能を持たない従来の貯湯式電気温水器６０又は図２０に示す構成を採る時刻自動補正機能を持たない従来のヒートポンプ式給湯機７０は、電気料金の安価な夜間の時間帯を利用して湯を沸き上げる性格上、例えば前述した図２１に示すような処理を行う。従って、例えば長時間の停電後などには、時刻をセットするまで制御機能を働かせることができない。
【００２７】
また、該貯湯式電気温水器６０又はヒートポンプ式給湯機７０は、一度時刻をセットしても、内蔵する計時手段により生成される時刻情報の誤差の累積により、一定周期で時刻修正しないと電気事業者が電気使用料金計算の基準とする時刻との不整合が発生し、安価な料金の時間帯以外の時間帯に沸き上げをする場合が生じる。
【００２８】
図２２〜図２５に示す時刻自動補正機能を有する貯湯式電気温水器またはヒートポンプ式給湯機は、内蔵する標準時刻電波を受信する手段で得た標準時刻情報または外部のリモコンから送信された標準時刻情報と、予め記憶した時間帯別の電気料金情報とに基づいて、安価な時間帯に湯を沸き上げる。
【００２９】
しかし、これらの貯湯式電気温水器またはヒートポンプ式給湯機は、家屋の影等に設置され、リモコンは台所や浴室に設置されることが多く、設置場所の制約から信号強度が微弱又は信号対雑音比が低く標準時刻電波を正確に安定して受信できない場合がある。また、電離層の影響や各種電気機器から発するノイズの影響で電波強度およびノイズ強度は常に一定ではなく、設置環境や電波条件により連続的に標準時刻情報を得られない場合がある。
【００３０】
そこで、本発明は、標準時刻電波を受信する手段を持たなくとも、内部の時刻情報を標準時刻に基づいて補正し、結果として電気料金の安価な時間帯に貯湯タンクに湯を沸き上げることができ、かつ、設置場所の制約を受けることなく任意の場所に設置可能な貯湯式電気温水器およびヒートポンプ式給湯機の提供を目的とする。
【００３１】
（４）貯湯式電気温水器およびヒートポンプ式給湯機の中には、標準時刻電波を受信する手段を持たない装置も多く設置されている。そこで、本発明は、標準時刻に基づいて貯湯式電気温水器への通電制御電源の送出を制御し、結果として電気料金の安価な時間帯に貯湯タンクに湯を沸き上げることができる貯湯式電気温水器システム、および、標準時刻に基づいてヒートポンプ式給湯機への通電制御電源の送出を制御し、結果として電気料金の安価な時間帯に貯湯タンクに湯を沸き上げることができるヒートポンプ式給湯機システムの提供を目的とする。
【００３２】
（５）また、本発明は、標準時刻電波を利用することなく、時間帯別電気料金対応の電力量計の時刻と貯湯式電気温水器またはヒートポンプ式給湯機の時刻との時刻ずれを解消し、結果として電気料金の安価な時間帯に貯湯タンクに湯を沸き上げることができるようにすることを目的とする。
【課題を解決するための手段】
【００３３】
上記課題を解決するため、第１の本発明は、負荷装置への通電を制御する通電制御装置であって、基準信号を発生する基準信号発生手段と、発生した基準信号をカウントして時刻情報を生成する計時手段と、標準時刻電波を受信して標準時刻情報を取得し、前記計時手段により生成された時刻情報を前記標準時刻に合うように補正する標準時刻電波受信・時刻補正手段と、通電制御電源を取り込む通電制御電源取り込み手段と、通電制御電源を前記負荷装置へ送り出す通電制御電源送り出し手段と、前記通電制御電源取り込み手段と前記通電制御電源送り出し手段との間を接続又は開放する開閉手段と、時間帯別の電気料金情報が記憶される時間帯別料金記憶手段と、前記標準時刻電波受信・時刻補正手段により補正された時刻情報と、前記時間帯別料金記憶手段に記憶された時間帯別の電気料金情報とに基づいて、電気料金が安価となる時間帯に、前記開閉手段が前記通電制御電源取り込み手段と前記通電制御電源送り出し手段との間を接続し、前記通電制御電源送り出し手段から前記負荷装置へ通電制御電源が送り出されるように制御する制御手段とを備えることを特徴とする通電制御装置である。
【００３４】
また、第２の本発明は、負荷装置への通電を制御する通電制御装置であって、基準信号を発生する基準信号発生手段と、発生した基準信号をカウントして時刻情報を生成する計時手段と、前記通電制御装置の外部から、前記計時手段によって生成された時刻情報を標準時刻に合わせ込むための制御信号である時刻合わせ込み信号を受信し、受信した時刻合わせ込み信号に基づいて、前記計時手段によって生成された時刻情報を補正する通信手段と、通電制御電源を取り込む通電制御電源取り込み手段と、通電制御電源を前記負荷装置へ送り出す通電制御電源送り出し手段と、前記通電制御電源取り込み手段と前記通電制御電源送り出し手段との間を接続又は開放する開閉手段と、時間帯別の電気料金情報が記憶される時間帯別料金記憶手段と、前記通信手段により補正された時刻情報と、前記時間帯別料金記憶手段に記憶された時間帯別の電気料金情報とに基づいて、電気料金が安価となる時間帯に、前記開閉手段が前記通電制御電源取り込み手段と前記通電制御電源送り出し手段との間を接続し、前記通電制御電源送り出し手段から前記負荷装置へ通電制御電源が送り出されるように制御する制御手段とを備えることを特徴とする通電制御装置である。
【００３５】
また、第３の本発明は、外部装置の時刻を標準時刻に合わせ込む標準時刻合わせ込み装置であって、標準時刻電波を受信して標準時刻情報を取得する標準時刻電波受信・時刻取得手段と、前記外部装置の時刻を標準時刻に合わせ込むための制御信号である時刻合わせ込み信号を前記外部装置に対して送出するタイミングを記憶する送出タイミング記憶手段と、前記標準時刻合わせ込み装置と前記外部装置との間での信号の送受信の際に用いる信号構成情報を記憶する信号構成記憶手段と、前記外部装置を特定する情報を記憶する外部装置特定情報記憶手段と、前記標準時刻電波受信・時刻取得手段によって取得された標準時刻情報と前記信号構成記憶手段中の信号構成情報と前記外部装置特定情報記憶手段中の前記外部装置を特定する情報とに基づいて、前記時刻合わせ込み信号を編集する編集手段と、前記送出タイミング記憶手段中のタイミングに従って、前記編集された時刻合わせ込み信号を前記外部装置に対して送出する時刻合わせ込み信号送出手段とを備えることを特徴とする標準時刻合わせ込み装置である。
【００３６】
また、第４の本発明は、貯湯式電気温水器と、第３の本発明の標準時刻合わせ込み装置とから構成される貯湯式電気温水器システムであって、前記標準時刻合わせ込み装置は、前記貯湯式電気温水器に対して前記時刻合わせ込み信号を送出し、前記貯湯式電気温水器は、貯湯タンクと、時刻情報を生成する計時手段と、前記標準時刻合わせ込み装置から前記時刻合わせ込み信号を受信する通信手段と、前記生成された時刻情報を前記時刻合わせ込み信号に基づいて補正する時刻補正手段と、前記補正後の時刻情報と予め記憶された時間帯別の電気料金情報とに基づいて、電気料金の安価な時間帯に前記貯湯タンク内に湯を沸き上げる制御手段とを備えることを特徴とする貯湯式電気温水器システムである。
【００３７】
また、第５の本発明は、ヒートポンプ式給湯機と、第３の本発明の標準時刻合わせ込み装置とから構成されるヒートポンプ式給湯機システムであって、前記標準時刻合わせ込み装置は、前記ヒートポンプ式給湯機に対して前記時刻合わせ込み信号を送出し、前記ヒートポンプ式給湯機は、貯湯タンクと、時刻情報を生成する計時手段と、前記標準時刻合わせ込み装置から前記時刻合わせ込み信号を受信する通信手段と、前記生成された時刻情報を前記時刻合わせ込み信号に基づいて補正する時刻補正手段と、前記補正後の時刻情報と予め記憶された時間帯別の電気料金情報とに基づいて、電気料金の安価な時間帯に前記貯湯タンク内に湯を沸き上げる制御手段とを備えることを特徴とするヒートポンプ式給湯機システムである。
【００３８】
また、第６の本発明は、貯湯式電気温水器と、第１または第２の本発明の通電制御装置とから構成される貯湯式電気温水器システムであって、前記通電制御装置は、前記貯湯式電気温水器に対して、電気料金が安価となる時間帯に通電制御電源を送り出し、前記貯湯式電気温水器は、前記通電制御装置から送り出された通電制御電源を用いて、内部に備える貯湯タンク内の湯の沸き上げ処理を制御する制御手段を備えることを特徴とする貯湯式電気温水器システムである。
【００３９】
また、第７の本発明は、ヒートポンプ式給湯機と、第１または第２の本発明の通電制御装置とから構成されるヒートポンプ式給湯機システムであって、前記通電制御装置は、前記ヒートポンプ式給湯機に対して、電気料金が安価となる時間帯に通電制御電源を送り出し、前記ヒートポンプ式給湯機は、前記通電制御装置から送り出された通電制御電源を用いて、内部に備える貯湯タンク内の湯の沸き上げ処理を制御する制御手段を備えることを特徴とするヒートポンプ式給湯機システムである。
【００４０】
また、第８の本発明は、時間帯別の電力量を計測する電力量計であって、電源から負荷装置へ印加される印加電圧を取り出す電圧取り出し手段と、前記電源から前記電力量計を通過して前記負荷装置へ流れる電流の有効分である有効電流を取り出す有効電流取り出し手段と、時刻情報を生成する計時手段と、前記印加電圧と前記有効電流と予め決められた計量時間間隔とに基づいて、前記計量時間間隔内の電力量を算出する電力量算出手段と、時間帯別の電力量を計測する複数の時間帯別電力量計測手段と、時間帯と各時間帯別電力量計測手段との対応情報が記憶される時間帯情報記憶手段と、前記計時手段によって生成された時刻情報と前記時間帯情報記憶手段に記憶された時間帯と各時間帯別電力量計測手段との対応情報とに基づいて、前記電力量算出手段によって算出された電力量情報を各時間帯別電力量計測手段に振り分ける制御手段とを備え、各時間帯別電力量計測手段は、振り分けられた電力量情報を積算して時間帯別の電力量を計測し、前記制御手段は、さらに、前記計時手段によって生成された時刻情報を前記負荷装置に対して送信することを特徴とする電力量計である。
【００４１】
また、第９の本発明は、貯湯式電気温水器であって、第８の本発明の電力量計の前記計測手段によって生成された時刻情報を前記電力量計から受信する時刻情報受信手段と、時刻情報を生成する計時手段と、前記計時手段によって生成された時刻情報を前記電力量計から受信した時刻情報に合うように補正する時刻補正手段と、前記補正後の時刻情報と予め記憶された時間帯別の電気料金情報とに基づいて、電気料金の安価な時間帯に、内部に備える貯湯タンク内に湯を沸き上げる制御手段とを備えることを特徴とする貯湯式電気温水器である。
【００４２】
また、第１０の本発明は、ヒートポンプ式給湯機であって、第８の本発明の電力量計の前記計測手段によって生成された時刻情報を前記電力量計から受信する時刻情報受信手段と、時刻情報を生成する計時手段と、前記計時手段によって生成された時刻情報を前記電力量計から受信した時刻情報に合うように補正する時刻補正手段と、前記補正後の時刻情報と予め記憶された時間帯別の電気料金情報とに基づいて、電気料金の安価な時間帯に、内部に備える貯湯タンク内に湯を沸き上げる制御手段とを備えることを特徴とするヒートポンプ式給湯機である。
【００４３】
また、第１１の本発明は、貯湯式電気温水器であって、時間帯別の電力量を計測する電力量計に対して外部から周期的または間欠的に送信される時刻情報であって、前記電力量計が時間帯別の電力量を計測するために用いる時刻情報と同一の時刻情報を、前記電力量計に対して外部から前記時刻情報が送信されたタイミングと同一のタイミングで受信する時刻情報受信手段と、時刻情報を生成する計時手段と、前記計時手段によって生成された時刻情報を前記時刻情報受信手段によって受信された時刻情報に合うように補正する時刻補正手段と、前記補正後の時刻情報と予め記憶された時間帯別の電気料金情報とに基づいて、電気料金の安価な時間帯に、内部に備える貯湯タンク内に湯を沸き上げる制御手段とを備えることを特徴とする貯湯式電気温水器である。
【００４４】
また、第１２の本発明は、ヒートポンプ式給湯機であって、時間帯別の電力量を計測する電力量計に対して外部から周期的または間欠的に送信される時刻情報であって、前記電力量計が時間帯別の電力量を計測するために用いる時刻情報と同一の時刻情報を、前記電力量計に対して外部から前記時刻情報が送信されたタイミングと同一のタイミングで受信する時刻情報受信手段と、時刻情報を生成する計時手段と、前記計時手段によって生成された時刻情報を前記時刻情報受信手段によって受信された時刻情報に合うように補正する時刻補正手段と、前記補正後の時刻情報と予め記憶された時間帯別の電気料金情報とに基づいて、電気料金の安価な時間帯に、内部に備える貯湯タンク内に湯を沸き上げる制御手段とを備えることを特徴とするヒートポンプ式給湯機である。
【００４５】
また、第１３の本発明は、貯湯式電気温水器であって、時間帯別の電力量を計測する電力量計に対して外部から周期的または間欠的に送信され、前記電力量計内の時刻を任意の時刻に合わせ込むための時刻合わせ込み情報と同一の時刻合わせ込み情報を、前記電力量計に対して外部から前記時刻合わせ込み情報が送信されたタイミングと同一のタイミングで受信する時刻合わせ込み情報受信手段と、時刻情報を生成する計時手段と、前記計時手段によって生成された時刻情報を前記時刻合わせ込み情報受信手段によって受信された時刻合わせ込み情報に基づいて、前記電力量計内の時刻に合うように補正する時刻補正手段と、前記補正後の時刻情報と予め記憶された時間帯別の電気料金情報とに基づいて、電気料金の安価な時間帯に、内部に備える貯湯タンク内に湯を沸き上げる制御手段とを備えることを特徴とする貯湯式電気温水器である。
【００４６】
また、第１４の本発明は、ヒートポンプ式給湯機であって、時間帯別の電力量を計測する電力量計に対して外部から周期的または間欠的に送信され、前記電力量計内の時刻を任意の時刻に合わせ込むための時刻合わせ込み情報と同一の時刻合わせ込み情報を、前記電力量計に対して外部から前記時刻合わせ込み情報が送信されたタイミングと同一のタイミングで受信する時刻合わせ込み情報受信手段と、時刻情報を生成する計時手段と、前記計時手段によって生成された時刻情報を前記時刻合わせ込み情報受信手段によって受信された時刻合わせ込み情報に基づいて、前記電力量計内の時刻に合うように補正する時刻補正手段と、前記補正後の時刻情報と予め記憶された時間帯別の電気料金情報とに基づいて、電気料金の安価な時間帯に、内部に備える貯湯タンク内に湯を沸き上げる制御手段とを備えることを特徴とするヒートポンプ式給湯機である。
【発明の効果】
【００４７】
（１）本発明によれば、対象負荷に対し安価な時間帯に通電する通電制御装置を実現することができる。
（２）本発明によれば、受信した標準時刻電波から抽出した標準時刻に基づいて時計装置の時刻情報を補正した上で、対象負荷に対し安価な時間帯に通電する通電制御装置を実現できる。また、本発明によれば、上記の通電制御装置に対して、当該通電制御装置内の時刻情報を標準時刻に合わせ込むための時刻合わせ込み信号を送信する、標準時刻合わせ込み装置を実現できる。
（３）本発明によれば、標準時刻電波を受信する手段を持たなくとも、電気料金の安価な時間帯に貯湯タンクに湯を沸き上げることができ、かつ、設置場所の制約を受けることなく任意の場所に設置可能な貯湯式電気温水器およびヒートポンプ式給湯機を実現できる。
（４）本発明によれば、標準時刻に基づいて貯湯式電気温水器への通電制御電源の送出を制御し、結果として電気料金の安価な時間帯に貯湯タンクに湯を沸き上げることができる貯湯式電気温水器システム、および、標準時刻に基づいてヒートポンプ式給湯機への通電制御電源の送出を制御するヒートポンプ式給湯機システムを実現できる。
（５）本発明によれば、標準時刻電波を利用することなく、時間帯別電気料金対応の電力量計の時刻と貯湯式電気温水器またはヒートポンプ式給湯機の時刻との時刻ずれを解消し、結果として電気料金の安価な時間帯に貯湯タンクに湯を沸き上げることができるようにすることが可能となる。
【発明を実施するための最良の形態】
【００４８】
以下に、図を用いて、本発明の実施の形態について説明する。
（第１の実施の形態）
図１は、本発明の通電制御装置の構成の一例を示す図である。通電制御装置１が備える基準信号発生手段１１は、高精度の発振器等により構成され、基準信号を発生させる。
【００４９】
計時手段１２は、発生した基準信号をカウントして時刻情報を生成する。標準時刻電波受信・時刻補正手段１３は、標準時刻電波を受信し、標準時刻を抽出する。また、標準時刻電波受信・時刻補正手段１３は、計時手段１２が生成した時刻情報を標準時刻に合うように補正する。
【００５０】
時間帯別料金記憶手段１４には、時間帯別の電気料金情報が記憶される。例えば、図２（Ａ）に示すような、時刻と単価との対応情報や、図２（Ｂ）に示すような、安価な時間帯の開始時刻と終了時刻の情報や、図２（Ｃ）に示すような、時間帯を一意に特定するＩＤと時間帯と単価の順位との対応情報が記憶される。
【００５１】
通電制御電源取り込み手段１５は、通電制御電源を外部の電源供給装置から取り込む。通電制御電源送り出し手段１６は、通電制御電源を負荷側へ供給する。開閉手段１７は、通電制御電源取り込み手段１５と通電制御電源送り出し手段１６との間を接続（オン）または開放（オフ）する。
【００５２】
制御手段１８は、時間帯別料金記憶手段１４内に記憶された時間帯別の電気料金情報と標準時刻電波受信・時刻補正手段１３による補正後の時刻情報とに基づいて、電気料金の安価な時間帯に限って開閉手段１７が通電制御電源取り込み手段１５と通電制御電源送り出し手段１６との間をオンし、通電制御電源送り出し手段１６から負荷側へ通電制御電源が送り出されるように制御する。
【００５３】
図３は、制御手段の動作処理を説明する図である。制御手段１８は、標準時刻電波受信・時刻補正手段１３による補正後の時刻情報を参照して、時刻の変化点かを判断し（ステップＳ１）、時刻の変化点である場合は、時間帯別料金記憶手段１４内に記憶された時間帯別の電気料金情報を参照して、安価な時間帯かを判断する（ステップＳ２）。
【００５４】
安価な時間帯である場合は、通電制御電源取り込み手段１５と通電制御電源送り出し手段１６との間をオンして通電を開始する（ステップＳ３）。安価な時間帯でない場合は通電制御電源取り込み手段１５と通電制御電源送り出し手段１６との間をオフして通電を終了する（ステップＳ４）。
【００５５】
通電制御装置１においては、計時手段１２が生成した時刻情報を、標準時刻電波から抽出された標準時刻に合うように補正する。従って、通電制御装置１の時刻と、標準時刻電波中の標準時刻に基づいて時間帯別の電力使用量を計測する装置（図１では図示を省略）の時刻との同期をとることが可能となる。
【００５６】
よって、通電制御装置１を、標準時刻電波を正確に安定して受信できる任意の場所に設置し、電気料金の安価な時間帯に通電したい負荷装置を通電制御装置１の負荷側に接続して通電制御を行えば、結果として電気料金の安価な時間帯に通電制御装置１の負荷側に接続した負荷装置（例えば貯湯式電気温水器やヒートポンプ式給湯機）に通電することができる。
【００５７】
（第２の実施の形態）
図４は、本発明の通電制御装置の別の構成例を示す図である。通電制御装置２内において、２１は通信手段、２２は電源供給手段である。図４に示す各構成要素中、図１に示す構成要素と同符号のものは、対応する図１に示す構成要素と同様である。
【００５８】
通信手段２１は、通電制御装置２の外部の外部装置から時刻合わせ込み信号を受信し、受信した時刻合わせ込み信号に基づいて、計時手段１２により生成された時刻情報を標準時刻に合うように補正する。
【００５９】
上記時刻合わせ込み信号は、計時手段１２が生成した時刻情報を標準時刻に合わせ込むための制御信号であり、標準時刻電波を受信した外部装置によって生成され、通電制御装置２に対して送信される。
【００６０】
制御手段１８は、時間帯別料金記憶手段１４内に記憶された時間帯別の電気料金情報と通信手段２１による補正後の時刻情報とに基づいて、電気料金の安価な時間帯に限って開閉手段１７が通電制御電源取り込み手段１５と通電制御電源送り出し手段１６との間をオンして、通電制御電源送り出し手段１６から負荷側へ通電制御電源が送り出されるように制御する。
【００６１】
電源供給手段２２は、外部装置に対して電源を供給する。本発明の第２の実施の形態においては、例えば、通信手段２１は、電源供給手段２２から外部装置へ電源を供給するための通信線（電源供給線）を通じて、外部装置から時刻合わせ込み信号を受信する。通信手段２１が電源供給手段２２と通信線を共有することにより、設置費用を節減できる。
【００６２】
通電制御装置２においては、外部装置から受信した時刻合わせ込み信号に基づいて、計時手段１２が生成した時刻情報を標準時刻に合うように補正する。従って、通電制御装置２の時刻と、標準時刻電波中の標準時刻に基づいて時間帯別の電力使用量を計測する装置（図４では図示を省略）の時刻との同期をとることが可能となる。
【００６３】
よって、電気料金の安価な時間帯に通電したい負荷装置を、通電制御装置２の負荷側に接続して通電制御すれば、結果として電気料金の安価な時間帯に通電制御装置２の負荷側に接続した負荷装置（例えば貯湯式電気温水器やヒートポンプ式給湯機）に通電することができる。
【００６４】
（第３の実施の形態）
図５は、本発明の標準時刻合わせ込み装置の構成の一例を示す図である。標準時刻合わせ込み装置３は、外部の相手装置に対して時刻合わせ込み信号を送出する。この時刻合わせ込み信号は、相手装置内で生成される時刻を標準時刻に合わせ込むための制御信号である。なお、標準時刻合わせ込み装置３は、相手装置からの時刻設定要求（時刻合わせ込み信号を送信してほしい旨の要求）に対する応答として時刻合わせ込み信号を送信する構成、自発的に相手装置に対して所定のタイミングで時刻合わせ込み信号を送信する構成のいずれの構成も採ることができる。
【００６５】
標準時刻合わせ込み装置３内の標準時刻電波受信・時刻取得手段３１は、標準時刻電波を受信して標準時刻情報を取得する。
【００６６】
送出タイミング記憶手段３２には、標準時刻合わせ込み装置３の外部の相手装置に対して時刻合わせ込み信号を送出するタイミングが記憶されている。
【００６７】
相手装置信号構成記憶手段３３には、標準時刻合わせ込み装置３と相手装置との間での信号の送受信の際に用いる信号フォーマットやプロトコル等の構成の情報が記憶される。相手装置信号構成記憶手段３３に記憶される信号フォーマットは、相手装置から受け取り可能な信号フォーマットや、相手装置が受け取り可能な信号フォーマットである。
【００６８】
例えば、相手装置から時刻設定要求を受信するときの信号フォーマットの例としては、「ＳＴＸ（Start of text ）  アドレス  要求（時刻設定）  ＥＴＸ（End of text ）」といった信号フォーマット、相手装置に対して時刻合わせ込み信号を送出する際に用いる信号フォーマットの例としては、「ＳＴＸ（Start of text ）  アドレス  応答（時刻設定）  ＥＴＸ（End of text ）」といった信号フォーマットが挙げられる。
【００６９】
「要求（時刻設定）」は、相手装置からの、時刻合わせ込み信号を送信してほしい旨の時刻設定要求を示し、「応答（時刻設定）」は、標準時刻合わせ込み装置３による、時刻合わせ込み信号を送出する旨の応答を示している。
【００７０】
相手装置信号構成記憶手段３３には、例示した信号フォーマットに限らず様々な信号フォーマットを記憶させることが可能であり、例えば、相手装置がリモコン（図示を省略）と通信する際に用いる信号フォーマットと同じ構成の信号フォーマットを、相手装置が受取り可能な信号フォーマットとして相手装置信号構成記憶手段３３内に記憶させてもよい。
【００７１】
また、プロトコルとしては、例えば、相手装置から時刻設定要求を受信してから応答を返すといったプロトコルや、自発的に時刻合わせ込み信号を相手装置に送出するといったプロトコルが挙げられる。相手装置特定情報記憶手段３４には、例えば相手装置のアドレス情報などが記憶される。
【００７２】
編集手段３５は、標準時刻電波受信・時刻取得手段３１による標準時刻情報の取得をトリガとして、送出タイミング記憶手段３２に記憶された送出タイミングと、相手装置信号構成記憶手段３３内の信号フォーマットやプロトコル等の構成の情報と、相手装置特定情報記憶手段３４内の情報とを参照する。そして、編集手段３５は、標準時刻電波受信・時刻取得手段３１により取得された時刻情報を、相手装置が受け取り可能な構成に編集して、時刻合わせ込み信号を生成する。なお、本発明においては、編集手段３５は、相手装置から時刻設定要求を受信した上で、上記の時刻合わせ込み信号を生成する処理を行ってもよい。
【００７３】
時刻合わせ込み信号送出手段３６は、編集手段３５によって生成された時刻合わせ込み信号を相手装置に対して送出する。
【００７４】
電源取り込み手段３７は、相手装置から駆動用の電源を取り込む。本発明においては、時刻合わせ込み信号送出手段３６は、例えば、電源取り込み手段３７が相手装置から電源を取り込むための通信線を通じて時刻合わせ込み信号を送出する。
【００７５】
例えば、標準時刻合わせ込み装置３を標準時刻電波を正確に安定して受信できる任意の場所に設置し、時刻合わせ込み信号を図４に示す通電制御装置２へ送信すれば、通電制御装置２内の時刻を標準時刻に合わせ込むことが可能となる。従って、通電制御装置２の時刻と、標準時刻電波中の標準時刻に基づいて時間帯別の電力使用量を計測する装置（図５では図示を省略）の時刻との同期をとることが可能となる。
【００７６】
よって、結果として、例えば通電制御装置２の負荷側に接続した装置（例えば、貯湯式電気温水器やヒートポンプ式給湯機）に対して、電気料金の安価な時間帯に通電することが可能となる。
【００７７】
（第４の実施の形態）
図６は、本発明の第４の実施の形態を示す図である。貯湯式電気温水器４内の通信・電源供給手段４１は、人為的に時刻設定されたリモコン１０から送信される設定時刻情報を受信することができるように構成されている。
【００７８】
標準時刻合わせ込み装置３は、標準時刻電波を受信して、リモコン１０から通信・電源供給手段４１へ設定時刻情報を送信するときの信号構成と同一構成の時刻合わせ込み信号を編集し、通信・電源供給手段４１に対して送出する。
【００７９】
通信・電源供給手段４１は、標準時刻合わせ込み装置３から送信される時刻合わせ込み信号を、あたかもリモコン１０から送信された設定時刻情報であるかのように認識する。通信・電源供給手段４１は、標準時刻合わせ込み装置３から時刻合わせ込み信号を受信すると、受信した時刻合わせ込み信号を時刻合わせ込み手段４２に対して送信する。
【００８０】
時刻合わせ込み手段４２は、通信・電源供給手段４１から送信された時刻合わせ込み信号に基づいて、計時手段４３により生成される時刻情報を、標準時刻に合うように補正する。
【００８１】
制御手段４４は、時間帯別料金記憶手段４５内に記憶された、時間帯別の電気料金情報と、補正後の時刻情報と、貯湯タンク４６内の湯温計測センサ１０１によって計測された湯温情報とに基づき、外部から供給される電源を用いて、沸き上げ手段１０２による貯湯タンク４６内の湯の沸き上げ処理を制御する。
【００８２】
なお、通信・電源供給手段４１は、例えば、標準時刻合わせ込み装置３から時刻合わせ込み信号を受信するときの通信線を通じて、標準時刻合わせ込み装置３に対して電源を供給する。
【００８３】
貯湯式電気温水器４においては、標準時刻合わせ込み装置３から受信した時刻合わせ込み信号に基づいて、計時手段４３が生成した時刻情報を標準時刻に合うように補正する。従って、貯湯式電気温水器４の時刻と、標準時刻電波中の標準時刻に基づいて時間帯別の電力使用量を計測する装置（図６では図示を省略）の時刻との同期をとることが可能となる。よって、結果として、電気料金の安価な時間帯に貯湯式電気温水器４の貯湯タンク４６に湯を沸き上げる貯湯式電気温水器システムを実現することができる。
【００８４】
この貯湯式電気温水器システムは、既設の貯湯式電気温水器にも採用することができる。また、例えば、標準時刻合わせ込み装置３と通信する機能と標準時刻合わせ込み装置３に対して電源を供給する機能とを兼用することで、設置費用も節減できる。また、この貯湯式電気温水器システムによれば、長時間停電の復旧時にも人為的な時刻設定を必要とせず自動的に通常の沸き上げ処理に移行することができ、使用した時に湯が沸いていないなどのトラブルを解消できる。
【００８５】
（第５の実施の形態）
図７は、本発明の第５の実施の形態を示す図である。ヒートポンプ式給湯機５内の通信・電源供給手段５１は、人為的に時刻設定されたリモコン１０から送信される設定時刻情報を受信することができるように構成されている。
【００８６】
標準時刻合わせ込み装置３は、標準時刻電波を受信して、リモコン１０から通信・電源供給手段５１へ設定時刻情報を送信するときの信号構成と同一構成の時刻合わせ込み信号を編集し、通信・電源供給手段５１に対して送出する。
【００８７】
通信・電源供給手段５１は、標準時刻合わせ込み装置３から送信される時刻合わせ込み信号を、あたかもリモコン１０から送信された設定時刻情報であるかのように認識する。通信・電源供給手段５１は、標準時刻合わせ込み装置３から時刻合わせ込み信号を受信すると、受信した時刻合わせ込み信号を時刻合わせ込み手段５２に対して送信する。
【００８８】
時刻合わせ込み手段５２は、通信・電源供給手段５１から送信された時刻合わせ込み信号に基づいて、計時手段５３により生成される時刻情報を、標準時刻に合うように補正する。
【００８９】
制御手段５４は、時間帯別料金記憶手段５５内に記憶された、時間帯別の電気料金情報と、補正後の時刻情報と、貯湯タンク５６内の湯温計測センサ１０１によって計測された湯温情報とに基づき、外部からヒートポンプ式給湯機５に供給される電源を用いて、ヒートポンプ５７による貯湯タンク５６内の湯の沸き上げ処理を制御する。
【００９０】
なお、通信・電源供給手段５１は、例えば、標準時刻合わせ込み装置３から時刻合わせ込み信号を受信するときの通信線を通じて、標準時刻合わせ込み装置３に対して電源を供給する。
【００９１】
ヒートポンプ式給湯機５においては、標準時刻合わせ込み装置３から受信した時刻合わせ込み信号に基づいて、計時手段５３が生成した時刻情報を標準時刻に合うように補正する。従って、ヒートポンプ式給湯機５の時刻と、標準時刻電波中の標準時刻に基づいて時間帯別の電力使用量を計測する装置（図７では図示を省略）の時刻との同期をとることが可能となる。よって、結果として、電気料金の安価な時間帯にヒートポンプ式給湯機５の貯湯タンク５６に湯を沸き上げるヒートポンプ式給湯機システムを実現することができる。
【００９２】
このヒートポンプ式給湯機システムは、既設のヒートポンプ式給湯機にも採用することができる。また、例えば標準時刻合わせ込み装置３と通信する機能と標準時刻合わせ込み装置３に対して電源を供給する機能とを兼用することで、設置費用も節減できる。また、このヒートポンプ式給湯機システムによれば、長時間停電の復旧時にも人為的な時刻設定を必要とせず自動的に通常の沸き上げ処理に移行することができ、使用した時に湯が沸いていないなどのトラブルを解消できる。
【００９３】
（第６の実施の形態）
図８（Ａ）は、本発明の第６の実施の形態を示す図である。図８（Ａ）に示すシステム例は、通電制御装置１と貯湯式電気温水器４とが接続されたシステムである。図８（Ａ）に示すシステムにおいては、図１に示す通電制御装置１の通電制御電源送り出し手段１６を通じて、電気料金の安価な時間帯に貯湯式電気温水器４へ電源を供給し、貯湯式電気温水器４の貯湯タンク４６内に湯を沸き上げる。
【００９４】
なお、通電制御装置１は、貯湯式電気温水器４の外部に設けることも、内部に設けることも可能である。
【００９５】
また、第６の実施の形態の別の例として、通電制御装置１の通電制御電源送り出し手段１６を複数設け、複数の負荷装置（例えば、複数の貯湯式電気温水器４）への電源供給を同時に又は個別に行うように構成してもよい。
【００９６】
図８（Ｂ）は、第６の実施の形態の変形例を示す図である。図８（Ｂ）に示すシステム例は、標準時刻合わせ込み装置３と通電制御装置２と貯湯式電気温水器４とが接続されたシステムである。
【００９７】
標準時刻合わせ込み装置３は、受信した標準時刻電波に基づいて時刻合わせ込み信号を生成し、通電制御装置２に対して送出する。通電制御装置２は、受信した時刻合わせ込み信号に基づいて内部の時刻情報を標準時刻に合うように補正し、補正後の時刻情報と時間帯別の電気料金情報とに基づいて、貯湯式電気温水器４への通電制御を行う。通電制御装置２は、貯湯式電気温水器４の外部に設けることも、内部に設けることも可能である。なお、別の構成例として、通電制御装置２の通電制御電源送り出し手段１６を複数設け、複数の負荷装置（例えば、複数の貯湯式電気温水器４）への電源供給を同時に又は個別に行うようにしてもよい。
【００９８】
第６の実施の形態によれば、標準時刻電波を介して、通電制御装置１または通電制御装置２の時刻と、時間帯別の電力使用量を計測する装置（図８では図示を省略）の時刻との同期をとることができ、結果として電気料金の安価な時間帯に貯湯式電気温水器４の貯湯タンク４６に湯を沸き上げることができる。
【００９９】
（第７の実施の形態）
図９（Ａ）は、本発明の第７の実施の形態を示す図である。図９（Ａ）に示すシステム例は、通電制御装置１とヒートポンプ式給湯機５とが接続されたシステムである。図９（Ａ）に示すシステムにおいては、図１に示す通電制御装置１の通電制御電源送り出し手段１６を通じて、電気料金の安価な時間帯にヒートポンプ式給湯機５へ電源を供給し、ヒートポンプ式給湯機５の貯湯タンク５６内に湯を沸き上げる。
【０１００】
なお、通電制御装置１は、ヒートポンプ式給湯機５の外部に設けることも、内部に設けることも可能である。
【０１０１】
また、第７の実施の形態の別の例として、通電制御装置１の通電制御電源送り出し手段１６を複数設け、複数の負荷装置（例えば、複数のヒートポンプ式給湯機５）への電源供給を同時に又は個別に行うように構成してもよい。
【０１０２】
図９（Ｂ）は、第７の実施の形態の変形例を示す図である。図９（Ｂ）に示すシステム例は、標準時刻合わせ込み装置３と通電制御装置２とヒートポンプ式給湯機５とが接続されたシステムである。
【０１０３】
標準時刻合わせ込み装置３は、受信した標準時刻電波に基づいて時刻合わせ込み信号を生成し、通電制御装置２に対して送出する。通電制御装置２は、受信した時刻合わせ込み信号に基づいて内部の時刻情報を標準時刻に合うように補正し、補正後の時刻情報と時間帯別の電気料金情報とに基づいて、ヒートポンプ式給湯機５への通電制御を行う。通電制御装置２は、ヒートポンプ式給湯機５の外部に設けることも、内部に設けることも可能である。なお、別の構成例として、通電制御装置２の通電制御電源送り出し手段１６を複数設け、複数の負荷装置（例えば、複数のヒートポンプ式給湯機５）への電源供給を同時に又は個別に行うようにしてもよい。
【０１０４】
第７の実施の形態によれば、標準時刻電波を介して、通電制御装置１または通電制御装置２の時刻と、時間帯別の電力使用量を計測する装置（図９では図示を省略）の時刻との同期をとることができ、結果として電気料金の安価な時間帯にヒートポンプ式給湯機５の貯湯タンク５６に湯を沸き上げることができる。
【０１０５】
（第８の実施の形態）
図１０は、本発明の第８の実施の形態を示す図である。図１０に示す電力量計６において、有効電流取り出し手段６１は、電源側から負荷側へ電源を供給する主回路から電流の有効分を取り出す。電圧取り出し手段６２は、主回路から電圧を取り出す。
【０１０６】
計時手段６３は、時刻情報を生成する。時間帯情報記憶手段６４には、時間帯と各時間帯別電力量計測手段６６〜６８との対応情報が記憶されている。時間帯別電力量計測手段６６〜６８は、それぞれ異なる時間帯の使用電力量を計測する。
【０１０７】
演算・制御手段６５は、有効電流取り出し手段６１により取り出された電流の有効分と電圧取り出し手段６２により取り出された電圧と通電時間とから使用電力量を算出する。
【０１０８】
そして、演算・制御手段６５は、計時手段６３により生成された時刻情報と、時間帯情報記憶手段６４中の情報とを参照して、算出した使用電力量を時間帯別電力量計測手段６６〜６８に振り分ける。各時間帯別電力量計測手段６６〜６８は、振り分けられた使用電力量を積算して、各時間帯の使用電力量を計測する。
【０１０９】
また、演算・制御手段６５は、計時手段６３によって生成された時刻情報を周期的又は間欠的に編集し、時刻情報送出手段６９を通じて電力量計６の外部の装置へ送信する。
【０１１０】
なお、本発明においては、例えば、演算・制御手段６５が、計時手段６３が生成した時刻情報の代わりに、外部から送信された時刻情報を用いて、各時間帯別電力量計測手段６６〜６８への使用電力量の振り分け処理を行うようにしてもよい。
【０１１１】
また、本発明においては、例えば、演算・制御手段６５が、計時手段６３が生成した時刻情報を任意の時刻に合わせ込むための時刻合わせ込み情報を外部から受信し、この時刻合わせ込み情報を用いて計時手段６３が生成した時刻情報を補正し、補正後の時刻情報を用いて、上述した使用電力量の振り分け処理を行うようにしてもよい。
【０１１２】
図１１は、演算・制御手段の動作処理の一例を示す図である。まず、演算・制御手段６５は、計量時刻の変化点かを判断する（ステップＳ１１）。例えば、分単位での時刻の変化を判断する。
【０１１３】
計量時刻の変化点である場合、電圧取り出し手段６２により取り出された電圧を取り込み（ステップＳ１２）、有効電流取り出し手段６１により取り出された電流の有効分を取り込む（ステップＳ１３）。そして、電圧×電流の有効分×計量時間間隔（例えば１分）を演算して、使用電力量を算出する（ステップＳ１４）。
【０１１４】
次に、演算・制御手段６５は、計時手段６３により生成された時刻情報と時間帯情報記憶手段６４内の情報とを参照して、時間帯を判別し（ステップＳ１５）、判別された時間帯に対応する時間帯別電力量計測手段に使用電力量を振り分ける（ステップＳ１６）。そして、時刻情報を時刻情報送出手段６９を通じて外部の装置に対して送信する（ステップＳ１７）。
【０１１５】
（第９の実施の形態）
図１２は、本発明の第９の実施の形態を示す図である。図１２に示す貯湯式電気温水器システムは、電力量計６と貯湯式電気温水器７とから構成される。図１２では、図１０に示す電力量計６内の構成要素のうち、時刻情報送出手段６９のみを図示し、他の構成要素の図示を省略している。
【０１１６】
貯湯式電気温水器７内の時刻情報受信手段７１は、電力量計６の時刻情報送出手段６９から送出された時刻情報を受信する。時刻合わせ込み手段７２は、計時手段７３により生成される時刻情報を、電力量計６から送信された時刻情報に基づいて補正し、電力量計６内の時刻と貯湯式電気温水器７内の時刻との同期がとられるようにする。
【０１１７】
沸き上げ手段７５は、補正後の時刻情報と時間帯別料金記憶手段７４に記憶された時間帯別の電気料金情報とに基づいて、貯湯手段７６内に湯を沸き上げる。
【０１１８】
本発明の第９の実施の形態によれば、時間帯別の電力使用量を計測する電力量計６の時刻と貯湯式電気温水器７の時刻との同期をとることができ、結果として電気料金の安価な時間帯に貯湯式電気温水器７の貯湯手段７６内に湯を沸き上げることができる。
【０１１９】
また、第９の実施の形態によれば、長時間停電の復旧時にも人為的な時刻設定を必要とせず、自動的に通常の沸き上げ処理に移行することができ、使用した時に湯が沸いていないなどのトラブルを解消できる。
【０１２０】
（第１０の実施の形態）
図１３は、本発明の第１０の実施の形態を示す図である。図１３に示すヒートポンプ式給湯機システムは、電力量計６とヒートポンプ式給湯機８とから構成される。
【０１２１】
ヒートポンプ式給湯機８内の時刻情報受信手段８１は、電力量計６の時刻情報送出手段６９から送出された時刻情報を受信する。時刻合わせ込み手段８２は、計時手段８３により生成される時刻情報を、電力量計６から受信した時刻情報に基づいて補正し、電力量計６内の時刻とヒートポンプ式給湯機８内の時刻との同期がとられるようにする。
【０１２２】
沸き上げ手段８５は、補正後の時刻情報と時間帯別料金記憶手段８４に記憶された時間帯別の電気料金情報とに基づいて、貯湯手段８６内に湯を沸き上げる。
【０１２３】
本発明の第１０の実施の形態によれば、時間帯別の電力使用量を計測する電力量計６の時刻とヒートポンプ式給湯機８の時刻との同期をとることができ、結果として、電気料金の安価な時間帯にヒートポンプ式給湯機８の貯湯手段８６内に湯を沸き上げることができる。また、第１０の実施の形態によれば、長時間停電の復旧時にも人為的な時刻設定を必要とせず、自動的に通常の沸き上げ処理に移行することができ、使用した時に湯が沸いていないなどのトラブルを解消できる。
【０１２４】
（第１１の実施の形態）
図１４は、本発明の第１１の実施の形態を示す図である。図１４では、図１０に示す電力量計６内の構成要素のうち、演算・制御手段６５のみを図示し、他の構成要素の図示を省略している。
【０１２５】
電力量計６内の演算・制御手段６５は、外部から周期的または間欠的に送信された時刻情報に基づいて、時間帯別の使用電力量の計測処理を制御する。
【０１２６】
貯湯式電気温水器９内の時刻情報受信手段９１は、電力量計６が外部から受信した時刻情報と同一の時刻情報を、電力量計６に対して時刻情報が送信されたタイミングと同一のタイミングで外部から受信する。
【０１２７】
時刻合わせ込み手段７２は、計時手段７３により生成される時刻情報を、受信された時刻情報に基づいて補正し、電力量計６内の時刻と貯湯式電気温水器９内の時刻との同期がとられるようにする。
【０１２８】
時刻情報を補正した後の貯湯式電気温水器９の動作処理は、図１２に示す貯湯式電気温水器７の動作処理と同様であり、説明を省略する。
【０１２９】
本発明の第１１の実施の形態によれば、時間帯別の電力使用量を計測する電力量計６の時刻と貯湯式電気温水器９の時刻との同期をとることができ、結果として電気料金の安価な時間帯に貯湯式電気温水器９の貯湯手段７６内に湯を沸き上げることができる。
【０１３０】
また、第１１の実施の形態によれば、長時間停電の復旧時にも人為的な時刻設定を必要とせず自動的に通常の沸き上げ処理に移行することができ、使用した時に湯が沸いていないなどのトラブルを解消できる。
【０１３１】
（第１２の実施の形態）
図１５は、本発明の第１２の実施の形態を示す図である。電力量計６内の演算・制御手段６５は、外部から周期的または間欠的に送信された時刻情報に基づいて、時間帯別の使用電力量の計測処理を制御する。
【０１３２】
ヒートポンプ式給湯機２０内の時刻情報受信手段２１０は、電力量計６が外部から受信した時刻情報と同じ時刻情報を、電力量計６に対して時刻情報が送信されたタイミングと同一のタイミングで外部から受信する。時刻合わせ込み手段８２は、計時手段８３により生成される時刻情報を、受信された時刻情報に基づいて補正し、電力量計６内の時刻とヒートポンプ式給湯機２０内の時刻との同期がとられるようにする。
【０１３３】
時刻情報を補正した後のヒートポンプ式給湯機２０の動作処理は、図１３に示すヒートポンプ式給湯機８の動作処理と同様であり、説明を省略する。
【０１３４】
本発明の第１２の実施の形態によれば、時間帯別の電力使用量を計測する電力量計６の時刻とヒートポンプ式給湯機２０の時刻との同期をとることができ、結果として電気料金の安価な時間帯にヒートポンプ式給湯機２０の貯湯手段８６内に湯を沸き上げることができる。
【０１３５】
また、第１２の実施の形態によれば、長時間停電の復旧時にも人為的な時刻設定を必要とせず自動的に通常の沸き上げ処理に移行することができ、使用した時に湯が沸いていないなどのトラブルを解消できる。
【０１３６】
（第１３の実施の形態）
図１６は、本発明の第１３の実施の形態を示す図である。図１６では、図１０に示す電力量計６内の構成要素のうち、演算・制御手段６５および計時手段６３のみを図示し、他の構成要素の図示を省略している。
【０１３７】
電力量計６内の演算・制御手段６５は、外部から周期的または間欠的に送信された時刻合わせ込み情報に基づいて、計時手段６３により生成される時刻情報を補正する。電力量計６が外部から受信する時刻合わせ込み情報は、計時手段６３により生成される時刻情報を標準時刻に合わせ込むためのものに限られず、計時手段６３により生成される時刻情報を任意の時刻に合わせ込むための情報である。
【０１３８】
貯湯式電気温水器３０内の時刻合わせ込み情報受信手段２１１は、電力量計６が外部から受信した時刻合わせ込み情報と同じ時刻合わせ込み情報を、電力量計６に対して時刻合わせ込み情報が送信されたタイミングと同一のタイミングで外部から受信する。
【０１３９】
時刻合わせ込み手段７２は、計時手段７３により生成される時刻情報を、受信された時刻合わせ込み情報を用いて補正し、電力量計６内の時刻と貯湯式電気温水器３０内の時刻との同期がとられるようにする。
【０１４０】
沸き上げ手段７５は、時刻合わせ込み手段７２による補正後の時刻情報と時間帯別料金記憶手段７４に記憶された時間帯別の電気料金情報とに基づいて、貯湯手段７６内に湯を沸き上げる。
【０１４１】
本発明の第１３の実施の形態によれば、時間帯別の電力使用量を計測する電力量計６の時刻と貯湯式電気温水器３０との時刻同期をとることができ、結果として電気料金の安価な時間帯に貯湯式電気温水器３０の貯湯手段７６内に湯を沸き上げることができる。
【０１４２】
また、第１３の実施の形態によれば、長時間停電の復旧時にも人為的な時刻設定を必要とせず自動的に通常の沸き上げ処理に移行することができ、使用した時に湯が沸いていないなどのトラブルを解消できる。
【０１４３】
（第１４の実施の形態）
図１７は、本発明の第１４の実施の形態を示す図である。電力量計６内の演算・制御手段６５は、外部から周期的または間欠的に受信した時刻合わせ込み情報に基づいて、計時手段６３により生成される時刻情報を補正する。第１３の実施の形態と同様に、時刻合わせ込み情報は、計時手段６３により生成される時刻情報を標準時刻に合わせ込むためのものに限られず、計時手段６３により生成される時刻情報を任意の時刻に合わせ込むための情報である。
【０１４４】
ヒートポンプ式給湯機４０内の時刻合わせ込み情報受信手段２１２は、電力量計６が外部から受信した時刻合わせ込み情報と同じ時刻合わせ込み情報を、電力量計６に対して時刻合わせ込み情報が送信されたタイミングと同一のタイミングで外部から受信する。
【０１４５】
時刻合わせ込み手段８２は、計時手段８３により生成される時刻情報を、受信された時刻合わせ込み信号を用いて補正し、電力量計６内の時刻とヒートポンプ式給湯機４０内の時刻との同期がとられるようにする。沸き上げ手段８５は、補正後の時刻情報と時間帯別料金記憶手段８４に記憶された時間帯別の電気料金情報とに基づいて、貯湯手段８６内に湯を沸き上げる。
【０１４６】
本発明の第１４の実施の形態によれば、時間帯別の電力使用量を計測する電力量計６の時刻とヒートポンプ式給湯機４０の時刻との同期をとることができ、結果として電気料金の安価な時間帯にヒートポンプ式給湯機４０の貯湯手段８６内に湯を沸き上げることができる。
【０１４７】
また、第１４の実施の形態によれば、長時間停電の復旧時にも人為的な時刻設定を必要とせず自動的に通常の沸き上げ処理に移行することができ、使用した時に湯が沸いていないなどのトラブルを解消できる。
【図面の簡単な説明】
【０１４８】
【図１】本発明の通電制御装置の構成の一例を示す図である。
【図２】時間帯別の電気料金情報を示す図である。
【図３】制御手段の動作処理を説明する図である。
【図４】本発明の通電制御装置の別の構成例を示す図である。
【図５】本発明の標準時刻合わせ込み装置の構成の一例を示す図である。
【図６】本発明の第４の実施の形態を示す図である。
【図７】本発明の第５の実施の形態を示す図である。
【図８】本発明の第６の実施の形態を示す図である。
【図９】本発明の第７の実施の形態を示す図である。
【図１０】本発明の第８の実施の形態を示す図である。
【図１１】演算・制御手段の動作処理の一例を示す図である。
【図１２】本発明の第９の実施の形態を示す図である。
【図１３】本発明の第１０の実施の形態を示す図である。
【図１４】本発明の第１１の実施の形態を示す図である。
【図１５】本発明の第１２の実施の形態を示す図である。
【図１６】本発明の第１３の実施の形態を示す図である。
【図１７】本発明の第１４の実施の形態を示す図である。
【図１８】従来の電力量計の構成を示す図である。
【図１９】従来の貯湯式電気温水器を示す図である。
【図２０】従来のヒートポンプ式給湯機を示す図である。
【図２１】従来技術の沸き上げ処理を示す図である。
【図２２】従来の貯湯式電気温水器を示す図である。
【図２３】従来のヒートポンプ式給湯機を示す図である。
【図２４】従来の貯湯式電気温水器を示す図である。
【図２５】従来のヒートポンプ式給湯機を示す図である。
【符号の説明】
【０１４９】
１、２  通電制御装置
３  標準時刻合わせ込み装置
４、７、９、３０、６０、８０、１００  貯湯式電気温水器
５、８、２０、４０、７０、９０、２００  ヒートポンプ式給湯機
６、５０  電力量計
１０、９４、９９  リモコン
１１  基準信号発生手段
１２、４３、５３、６３、７３、８３、１１２、１２２、１３３  計時手段
１３  標準時刻電波受信・時刻補正手段
１４、４５、５５、７４、８４、１２３、１３４  時間帯別料金記憶手段
１５  通電制御電源取り込み手段
１６  通電制御電源送り出し手段
１７  開閉手段
１８、４４、５４、１２４、１３５  制御手段
２１  通信手段
２２  電源供給手段
３１  標準時刻電波受信・時刻取得手段
３２  送出タイミング記憶手段
３３  相手装置信号構成記憶手段
３４  相手装置特定情報記憶手段
３５  編集手段
３６  時刻合わせ込み信号送出手段
３７  電源取り込み手段
４１、５１  通信・電源供給手段
４２、５２、７２、８２  時刻合わせ込み手段
４６、５６、９３、９６  貯湯タンク
５７、１３６  ヒートポンプ
５８  加熱管
６１、１１０  有効電流取り出し手段
６２、１１１  電圧取り出し手段
６４  時間帯情報記憶手段
６５  演算・制御手段
６６、６７、６８、１１４、１１５、１１６  時間帯別電力量計測手段
６９  時刻情報送出手段
７１、８１、９１、２１０  時刻情報受信手段
７５、８５、１０２  沸き上げ手段
７６、８６  貯湯手段
９２、９５、９７、９８、１３０、１４０  沸き上げ制御手段
１０１、１２５、１３７  湯温計測センサ
１１３  切替手段
１２０、１３１、３００、４００  リモコン通信手段
１２１、１３２  設定時刻情報抽出手段
１２６  電熱器
１９９、２０２、３０４  標準時刻電波受信手段
２０１、２０３、３０３  標準時刻抽出・内部時計補正手段
２１１、２１２  時刻合わせ込み情報受信手段
３０１、４０１  設定時刻情報抽出・内部時計補正手段
【図１】
2006292338.tif 000003
【図２】
2006292338.tif 000004
【図３】
2006292338.tif 000005
【図４】
2006292338.tif 000006
【図５】
2006292338.tif 000007
【図６】
2006292338.tif 000008
【図７】
2006292338.tif 000009
【図８】
2006292338.tif 000010
【図９】
2006292338.tif 000011
【図１０】
2006292338.tif 000012
【図１１】
2006292338.tif 000013
【図１２】
2006292338.tif 000014
【図１３】
2006292338.tif 000015
【図１４】
2006292338.tif 000016
【図１５】
2006292338.tif 000017
【図１６】
2006292338.tif 000018
【図１７】
2006292338.tif 000019
【図１８】
2006292338.tif 000020
【図１９】
2006292338.tif 000021
【図２０】
2006292338.tif 000022
【図２１】
2006292338.tif 000023
【図２２】
2006292338.tif 000024
【図２３】
2006292338.tif 000025
【図２４】
2006292338.tif 000026
【図２５】
2006292338.tif 000027